(57)【要約】【課題】  本発明はコンパクトキーホルダーに関し、特に使用者自身がハーフミラー表面に映ると共に、使用者の好みに応じて画像フィルムに印刷された画像に、ハーフミラーの裏面からＬＥＤやＥＬ素子の光源より光拡散プレートを介して拡散された光が、使用者又は使用者の好みの画像が映る周辺を光の点滅や色の変化によって華やかに彩るように構成したことを特徴とするコンパクトキーホルダーに関する。【解決手段】  蓋付筐体内に、上面より順次にハーフミラー、交換可能な画像フィルム、光拡散プレート、光源、バッテリー等が収納されており、開蓋時にハーフミラー表面に使用者自身の顔が映ると同時に、更に蓋開放時にリング状フレームに設けたスイッチのＯＮ動作により、光源からの光が点滅又は変色しながら光拡散プレートを介して画像フィルムに印刷された画像に照射され、該画像が点滅または変色しながら輝いて表示されるように構成したことを特徴とするコンパクトキーホルダーを提供する。【選択図】図２
2011083570.tif 000002
【特許請求の範囲】
【請求項１】
蓋付筐体内に、上面より順次にハーフミラー、交換可能な画像フィルム、光拡散プレート、光源、バッテリー等が収納されており、開蓋時にハーフミラー表面に使用者自身が映ると同時に、更に蓋開放時にリング状フレームに設けたスイッチのＯＮ動作により、光源からの光が点滅又は変色しながら光拡散プレートを介して画像フィルムに印刷された画像に照射され、該画像が点滅または変色しながら輝いて表示されるように構成したことを特徴とするコンパクトキーホルダー。
【請求項２】
光拡散プレートはＬＥＤやＥＬ素子等からなる光源の光が面状に拡散するように光拡散剤を混入したアクリル樹脂等で構成されていることを特徴とする請求項１記載のコンパクトキーホルダー。
【請求項３】
ハーフミラーの裏面に挟持される互換性のある画像フィルムは、バラエティーに富んださまざまなパターンが印刷され、使用者が好みに合ったパターンを選択して使用できるように構成したことを特徴とする請求項１記載のコンパクトキーホルダー。
【請求項４】
ハーフミラーの裏面に挟持される互換性のある画像フィルムは、ネット上で受信した画像を透明フィルム上にインクジェットプリンターでポジ印刷し、使用者が好みに合った画像を選択して使用できるように構成したことを特徴とする請求項１記載のコンパクトキーホルダー。
【請求項５】
筐体の背面にストラップが繋がれ、使用者の持ち物にマスコットのように取り付け可能とし、又は携帯できるように構成したことを特徴とする請求項１記載のコンパクトキーホルダー。
【請求項６】
蓋及び筐体の外形をダイヤモンドカット形状に成形して優れた意匠効果を付与し、蓋および筐体をヒンジを介して開閉自在に構成したことを特徴とする請求項１記載のコンパクトキーホルダー。
【発明の詳細な説明】
【技術分野】
【０００１】  本発明はコンパクトキーホルダーに関し、特に使用者自身がハーフミラー表面に映ると共に、使用者の好みに応じて画像フィルムに印刷された画像に、ハーフミラーの裏面からＬＥＤやＥＬ素子の光源より光拡散プレートを介して拡散された光が、使用者又は使用者の好みの画像が映る周辺を光の点滅や色の変化によって華やかに彩るように構成したことを特徴とするコンパクトキーホルダーに関する。
【背景技術】
【０００２】  従来、ハーフミラーを用いた鏡装置等が考案されており、例えば特開２００９−６１０３９号公報「鏡面部とハーフミラー部を合わせ持った鏡装置、それを用いた情報表示装置、及び利用者利用履歴管理表示装置とシステム」や実用新案登録第３０７８４７５号公報「手鏡玩具」がある。
【先行技術文献】
【０００３】
【特許文献１】  特開２００９−６１０３９号公報
【実用新案文献２】
実用新案登録第３０７８４７５号公報
【発明の概要】
【発明が解決しようとする課題】
【０００４】  上述した特開２００９−６１０３９号公報は「鏡面部とハーフミラー部を合わせ持った鏡装置、それを用いた情報表示装置、及び利用者利用履歴管理表示装置とシステム」は、美容室や理髪店に設置される鏡装置であって、鏡装置の一部のハーフミラー部越しに美容又は理髪後の利用者の画像を撮影し、スクリーン部に表示させるものであった。【０００５】  また、上述した実用新案登録第３０７８４７５号公報「手鏡玩具」は手鏡玩具であり、ハーフミラーの裏面よりＥＬ素子等の光を照射して印刷フィルム上の画像を手鏡表面に表示するものである。【０００６】  しかしながら上記２件の公報は、いずれもハーフミラーに映った使用者の画像と、ハーフミラーの背面より投影した画像が一緒に表示されるものではなかった。【０００７】  そこで本発明では、ハーフミラーに映った使用者の画像又は画像フィルムに印刷された好みの画像と、ハーフミラーの背面より投影した画像が一緒に表示されるコンパクトキーホルダーを創案したものである。【０００８】  予め印刷した画像を用いるばかりでなく、更にこれに用いる画像はネット上で受信した画像を透明フィルム上にインクジェットプリンターでポジ印刷し、使用者が好みに合った画像を選択して使用できるようにすることも使用者の興味を喚起する課題である。
【課題を解決するための手段】  ヒンジを介して開閉自在の蓋を有する筐体内に、上面より順次にハーフミラー、交換可能な画像フィルム、光拡散プレート、光源、バッテリー等が収納されており、開蓋時にハーフミラー表面に使用者自身が映ると同時に、更に蓋開放時にリング状フレームに設けたスイッチのＯＮ動作により、光源からの光が点滅又は変色しながら光拡散プレートを介して画像フィルムに印刷された画像に照射され、該画像が点滅または変色しながら輝いて表示されるように構成し、光拡散プレートはＬＥＤやＥＬ素子等からなる光源の光が面状に拡散するように光拡散剤を混入したアクリル樹脂等で構成されていることを特徴とし、ハーフミラーの裏面に挟持される互換性のある画像フィルムは、バラエティーに富んださまざまなパターンが印刷され、使用者が好みに合ったパターンを選択して使用できるように構成し、ハーフミラーの裏面に挟持される互換性のある画像フィルムは、ネット上で受信した画像を透明フィルム上にインクジェットプリンターでポジ印刷し、使用者が好みに合った画像を選択して使用できるように構成したことを特徴とし、筐体の背面にストラップが繋がれ、使用者の持ち物にマスコットのように取り付け可能とし、又は携帯できるように構成したことを特徴とし、蓋及び筐体の外形をダイヤモンドカット形状に成形して優れた意匠効果を付与し、蓋および筐体をヒンジを介して開閉自在に構成したことを特徴とするコンパクトキーホルダーを提供する。
【発明の効果】
【０００９】  本発明のコンパクトキーホルダーは、ストラップを介してキーホルダーや携帯電話等に容易に取付けることができる小型のマスコット状のものであって、しかもハーフミラーに映った使用者の顔や印刷された画像フィルムと共に、それらの周囲に華やかなパターン等を点滅又は発光色を変化させることもできるので、効果的な演出を奏するものであるので、特に使用者等が自分の顔や髪形をちょっと映して点検するときなどに利用でき、また小児などにも興味をもたせることができるコンパクトキーホルダーである。また、蓋および筐体の全体をダイヤモンドカット形状に成形してあり、マスコットやアクセサリーとしても利用価値のあるものである。
【図面の簡単な説明】
【００１０】
【図１】  本発明コンパクトキーホルダーの全体斜視図である。
【図２】  図１の蓋を開けた全体斜視図である。
【図３】  図１の後方から見た全体斜視図である。
【図４】  部分分解図である。
【図５】  画像フィルムの平面図である。
【図６】  画像フィルムの平面図である。
【発明を実施するための形態】
【００１１】  以下、図面に示す実施例に基づき、本発明の具体的な構成を説明する。
図面において、図１は本発明コンパクトキーホルダーの全体斜視図である。図２は図１の蓋を開けた全体斜視図である。図３は図１の後方から見た全体斜視図である。図４は部分分解図である。図５乃至図６は画像フィルムの平面図である。
【００１２】  図１乃至図３に示すように、本発明コンパクトキーホルダーは開閉自在の蓋２を有する筐体１からなり、該筐体１の背部にはストラップ１２が繋げられており、蓋２及び筐体１の外形はほぼハート形をなし、更に全体的にダイヤモンドカット形状にせ竸されている。
【００１３】  図２乃至図４に示すように、筐体１の表面はハーフミラー８が配置されており、その内側には、該ハーフミラー８に続き、交換可能な画像フィルム９、光拡散プレート１０が積層状態に配置され、更にその下方には光源１１と、バッテリー（図示せず）等が収納されている。
【００１４】  図２に示すように、開蓋時にはハーフミラー８が表面にあるので、使用者自信の顔や髪形を映すことができると共に、リング状フレーム３に設けたスイッチ７のＯＮ操作により光源１１からの光が点滅又は変色しながら光拡散プレート１０を介して画像フィルム９に印刷された画像に照射され、該画像が点滅または変色しながら輝いて表示されるように構成されている。
【００１５】  スイッチ７のＯＮ／ＯＦＦ操作は、蓋２の内側に設けられた突起２１を介して蓋２の開閉に連動させることも、蓋２の開放時に手動で行うようにすることも可能である。
【００１６】  光拡散プレート１０はＬＥＤやＥＬ素子等からなる光源１１からの光が面状に拡散するように光拡散剤を混入したアクリル樹脂等で構成されている。
【００１７】  ハーフミラー８の裏面と光拡散プレート１０との間に挟持される互換性のある画像フィルム９は、バラエティーに富んださまざまなパターンが印刷され、使用者が好みに合ったパターンを選択して使用できるように構成されている。
【００１８】  例えば、ハーフミラー８の裏面に挟持される互換性のある画像フィルム９は、ネット上で受信した画像を図５乃至図６に示すように透明フィルム上にインクジェットプリンターでポジ印刷し、使用者が好みに合った画像を選択して使用できるようにすることもできる。
【００１９】  本発明の実施例ではコンパクトキーホルダーは全体的にダイヤモンドカット形状に成形されており意匠効果をあげているが、これをキャラクター等の任意の形状でオーバーモールドすることもできるので、使用者の好みで選ぶことができる。
【００２０】  しかしながら、単に外見上の形状をいかに設計変更しても、この発明の技術範囲に属するものである。
【符号の説明】
【００２１】  １  筐体
２  蓋
２１  突起
３  リング状フレーム
４  リング状フレーム
５  ヒンジ
６  ダイヤモンドカット形状
７  スイッチ
８  ハーフミラー
９  画像フィルム
１０  光拡散プレート
１１  光源
１２  ストラップ
【図１】
2011083570.tif 000003
【図２】
2011083570.tif 000004
【図３】
2011083570.tif 000005
【図４】
2011083570.tif 000006
【図５】
2011083570.tif 000007
【図６】
2011083570.tif 000008